(57)【要約】【課題】低コストで、且つ、低消費電力で効率良く蒸散ができるドレン水処理装置を提供する。【解決手段】ドレン水を溜めるドレンタンク３と、ドレンタンク３に溜められたドレン水を蒸散させる２台の超音波蒸散機４，５とを備えた。【選択図】図１
2008298372.tif 000002
【特許請求の範囲】
【請求項１】
ドレン水を溜めるドレンタンクと、前記ドレンタンクに溜められたドレン水を蒸散させる複数の蒸散機とを備えたことを特徴とするドレン水処理装置。
【請求項２】
前記ドレンタンク内の水位を検出する水位センサを備えたことを特徴とする請求項１に記載されたドレン水処理装置。
【請求項３】
前記水位センサが前記蒸散機の高効率蒸散範囲内のある水位に達したことを検出すると、前記蒸散機の稼働を開始することを特徴とする請求項２に記載されたドレン水処理装置。
【請求項４】
前記水位センサがオーバーフロー近くの水位に達したことを検出すると、空気調和機の稼働を停止することを特徴とする請求項２または請求項３に記載されたドレン水処理装置。
【請求項５】
前記水位センサが前記蒸散機の高効率蒸散範囲より上方の水位に達したことを検出すると、前記蒸散機の稼働を停止することを特徴とする請求項２乃至請求項４のいずれかに記載されたドレン水処理装置。
【請求項６】
前記ドレンタンク内は、仕切り壁によって複数のタンク室に仕切られ、各タンク室に前記蒸散機がそれぞれ設置されたことを特徴とする請求項１乃至請求項５のいずれかに記載されたドレン水処理装置。
【請求項７】
前記仕切り壁で仕切られた前記各タンク室は、底面の高さが異なることを特徴とする請求項６に記載されたドレン水処理装置。
【請求項８】
複数の前記タンク室の内で、ドレン水が排水されるタンク室に前記水位センサが少なくとも設けられたことを特徴とする請求項６または請求項７に記載されたドレン水処理装置。
【請求項９】
前記ドレンタンクは、底面の高さが異なる複数のタンク領域に分けられ、前記各タンク領域には前記蒸散機がそれぞれ設置されたことを特徴とする請求項１乃至請求項５のいずれかに記載されたドレン水処理装置。
【請求項１０】
複数のタンク領域の内で、底面高さの低いタンク領域に前記水位センサを少なくとも設けたことを特徴とする請求項８に記載されたドレン水処理装置。
【請求項１１】
ドレン水が排水されるドレンタンクと、前記ドレンタンク内のドレン水に浮くフロート式蒸散機とを備えたことを特徴とするドレン水処理装置。
【請求項１２】
前記蒸散機は、超音波蒸散機であることを特徴とする請求項１乃至請求項１０のいずれかに記載されたドレン水処理装置。
【発明の詳細な説明】
【技術分野】
【０００１】
本発明は、空気調和機等で発生するドレン水を処理するドレン水処理装置に関する。
【背景技術】
【０００２】
空気調和機においては、冷房運転時にエバポレータの表面温度が低下すると、エバポレータの表面に結露が発生する。この結露によるドレン水を処理する必要がある。空気調和装置の設置近くに排水場所があれば問題ないが、例えばエレベータの乗りかごに設置された空気調和装置等のように排水場所が近くにない場合には、ドレン水を排水ホースを介してドレンタンクに貯えることになる。しかし、ドレンタンクが満水になると、ドレンタンク内のドレン水を排水する必要があり、排水作業が面倒である。
【０００３】
そこで、ドレンタンクに超音波蒸散機を設置したドレン水処理装置が従来より提案されている（特許文献１，２参照）。この従来技術によれば、ドレンタンク内のドレン水を霧化によって自動的に排出することができるため、排水作業を行う必要がない。
【特許文献１】特開平６−１８２２７８号公報
【特許文献２】特開平２−１３７３２号公報
【発明の開示】
【発明が解決しようとする課題】
【０００４】
しかしながら、従来のドレン水処理装置では、単一の超音波蒸散機を取り付けたものである。従って、多量のドレン水を霧化によって排出するには大型の超音波蒸散機を設置する必要があるが、大型の超音波蒸散機は高価で、且つ、消費電力が高いという問題がある。
【０００５】
また、超音波蒸散機は、水の深さによって蒸散効率が大きく異なるため、きめ細かな制御をすることが望ましいが、単一の超音波蒸散機では、水深に応じたきめ細かい制御が困難である。従って、効率的に蒸散を行うことができない。
【０００６】
そこで、本発明は、低コストで、且つ、低消費電力で効率良く蒸散ができるドレン水処理装置を提供することを目的とする。
【課題を解決するための手段】
【０００７】
第１の特徴に係る発明は、ドレン水処理装置であって、ドレン水が排水されるドレンタンクと、前記ドレンタンクに溜められたドレン水を蒸散させる複数の蒸散機とを備えたことを要旨とする。
【０００８】
第２の特徴に係る発明は、ドレン水処理装置であって、ドレン水が排水されるドレンタンクと、前記ドレンタンクに溜められたドレン水に浮くフロート式蒸散機とを備えたことを要旨とする。
【発明の効果】
【０００９】
第１の特徴に係る発明によれば、大型の蒸散機に較べて遙かに低コストで、かつ、低消費電力である小型の蒸散機を複数設置するため、大型の蒸散機を１台設置する場合に較べて全体として低コストで、且つ、低消費電力で蒸散できる。また、複数の蒸散機を設置するため、１台の蒸散機に較べてきめ細かい制御が可能であり、ドレン水を効率良く蒸散できる。このため、低コストで、且つ低消費電力で効率良くドレン水を蒸散させることできる。
【００１０】
第２の特徴に係る発明によれば、ドレンタンク内の水位に係わらず、蒸散機が最大蒸散能力を発揮できる水位に位置するため、ドレン水を効率良く蒸散できる。このように常に効率の良い蒸散ができるため、小型の低コストで、且つ、低消費電力の蒸散機を設置すれば足りる。以上より、低コストで、且つ、低消費電力で効率良く蒸散ができる。
【発明を実施するための最良の形態】
【００１１】
以下、本発明の実施の形態を図面を用いて説明する。
【００１２】
（第１の実施の形態）
図１及び図２は本発明の第１の実施の形態を示し、図１はドレン水処理装置の概略構成図、図２（ａ）はドレン水処理装置の詳細な側面図、図２（ｂ）はその部分正面図、図２（ｃ）はその部分底面図である。
【００１３】
図１に示すように、ドレン水処理装置１Ａは、図示しない空気調和装置で発生したドレン水を導くドレンホース２と、このドレンホース２よりドレン水が排水され、排水されたドレン水を溜めるドレンタンク３と、このドレンタンク３の底面に設置された２台の蒸散機である超音波蒸散機４，５とを備えている。
【００１４】
空気調和装置は、例えばエレベータの乗りかご内に設置されている。各超音波蒸散機４，５は、小型のものであり、図２に示すように、併設された２個の超音波振動子６を有する。各超音波振動子６は、例えば直径が３０ｍｍ、高さが１１ｍｍである。
【００１５】
上記構成において、各超音波蒸散機１Ａが稼働されると、各超音波蒸散機４，５によって超音波がドレンタンク３内のドレン水に向かって発振される。すると、ドレンタンク３内のドレン水に超音波振動が加わり、ドレン水の水面に振動水柱が発生する。この振動水柱によって水面近傍のドレン水が霧化して空気中に自然に排出される。
【００１６】
この第１の実施の形態に係るドレン水処理装置１Ａでは、大型の蒸散機に較べて遙かに低コストで、かつ、低消費電力である小型の蒸散機を２台設置するため、大型の蒸散機を１台設置する場合に較べて全体として低コストで、且つ、低消費電力になる。
【００１７】
また、本実施の形態では、２台の超音波蒸散機４，５が設置されているため、１台の場合に較べてきめ細かい制御が可能である。例えば、ドレン水の排出量が少ないと思われる稼働状況では１台の超音波蒸散機４，５のみを稼働し、ドレン水の排出量が多いと思われる稼働状況では２台の超音波蒸散機４，５を同時に稼働するよう制御する。このように、本実施の形態のドレン水処理装置によれば、低コストで、且つ、低消費電力で効率良く蒸散ができる。
【００１８】
（第２の実施の形態）
図３は本発明の第２の実施の形態に係るドレン水処理装置の概略構成図である。図３に示すように、ドレン水処理装置１Ｂは、図示しない空気調和装置で発生したドレン水を導くドレンホース２と、このドレンホース２よりドレン水が排水され、排水されたドレン水を溜めるドレンタンク３と、このドレンタンク３の底面に設置された２台の蒸散機である超音波蒸散機４，５と、ドレンタンク３内の水位を検出する水位センサである蒸散開始用水位センサＳ１と、蒸散開始用水位センサＳ１の検出結果に基づいて２台の超音波蒸散機４，５の駆動を制御する図示しない制御部とを備えている。
【００１９】
各超音波蒸散機１Ｂは、その稼働効率が水位によって異なる。ゼロ水位から稼働下限水位Ｈ１未満の範囲が低効率蒸散範囲であり、稼働下限水位Ｈ１から稼働上限水位Ｈ２までの範囲が高効率蒸散範囲であり、稼働上限水位Ｈ２より高い水位が再び低効率蒸散範囲となる。高効率蒸散範囲中に、最も効率の高い最大効率水位Ｈｆがある。この実施の形態の超音波蒸散機４，５は、その稼働下限水位が２０ｍｍであり、最大効率水位が４０ｍｍである。以下の実施の形態でも同様である。
【００２０】
蒸散開始用水位センサＳ１は、ドレンタンク３内のドレン水の水位が超音波蒸散機４，５の高効率蒸散範囲の任意の水位、例えば稼働下限水位Ｈ１に達したことを検出する。
【００２１】
制御部は、蒸散開始用水位センサＳ１が超音波蒸散機４，５の稼働下限水位Ｈ１に達したことを検出すると、超音波蒸散機４，５の稼働を開始するよう制御する。また、ドレンタンク３内の水位が稼働下限水位Ｈ１より下回ると、超音波蒸散機４，５の稼働を停止する。
【００２２】
この第２の実施の形態によれば、ドレンタンク３の水位が高効率蒸散範囲になって初めて超音波蒸散機４，５を稼働するため、第１の実施の形態に較べて、低消費電力でドレン水を効率良く蒸散できる。
【００２３】
なお、この第２の実施の形態では、蒸散開始用水位センサＳ１が稼働下限水位Ｈ１を検出するよう構成したが、高効率蒸散範囲の任意の水位、例えば最大効率水位Ｈｆを検出し、最大効率水位Ｈｆで超音波蒸散機４，５の稼働を開始するよう制御しても良い。
【００２４】
（第３の実施の形態）
図４〜図８は本発明の第３の実施の形態を示し、図４はドレン水処理装置の概略構成図、図５は制御フローチャート、図６は超音波蒸散機による蒸散量よりドレン水の増加が小さい場合におけるタイムチャート、図７は超音波蒸散機による蒸散量よりドレン水の増加が大きく、且つ、超音波蒸散機の蒸散能力が小さい場合におけるタイムチャート、図８は超音波蒸散機による蒸散量よりドレン水の増加が大きく、且つ、超音波蒸散機の蒸散能力が大きい場合におけるタイムチャートである。
【００２５】
図４に示すように、ドレン水処理装置１Ｃは、図示しない空気調和装置で発生したドレン水を導くドレンホース２と、このドレンホース２よりドレン水が排水され、排水されたドレン水を溜めるドレンタンク３と、このドレンタンク３の底面に設置された２台の蒸散機である超音波蒸散機４，５と、ドレンタンク３内の水位を検出する水位センサである蒸散開始用水位センサＳ１及び満水センサＳ２と、これら水位センサＳ１，Ｓ２の検出結果に基づいて２台の超音波蒸散機４，５と空気調和装置の駆動を制御する図示しない制御部とを備えている。
【００２６】
蒸散開始用水位センサＳ１は、ドレンタンク３内のドレン水の水位が超音波蒸散機４，５の稼働下限水位Ｈ１に達したことを検出する。
【００２７】
満水センサＳ２は、ドレンタンク３の水位がオーバーフロー近くの水位に達したことを検出する。
【００２８】
制御部は、図５のフローチャートに基づき超音波蒸散機４，５と図示しない空気調和装置の駆動を制御する。動作フローの詳しい内容は、下記の動作で説明する。
【００２９】
次に、ドレン水処理装置１Ｃの動作を説明する。図５に示すように、図示しない空気調和機の運転開始モードが選択されると（ステップＳ１）、図示しない空気調和装置の送風用ファンがオン、空気調和機のコンプレッサがオンされる（ステップＳ２，Ｓ３）。その後、蒸散開始用水位センサＳ１の検出結果が常時チェックされる（ステップＳ４）。蒸散開始用水位センサＳ１がドレンタンク３内の水位が稼働下限水位Ｈ１に達したことを検出すると、超音波蒸散機４，５の稼働を開始する（ステップＳ５）。稼働開始から１０秒間経過後に（ステップＳ６）、再び蒸散開始用水位センサＳ１の検出結果をチェックする（ステップＳ７）。水位が稼働下限水位Ｈ１未満に減水していれば、超音波蒸散機４，５の稼働を停止する（ステップＳ８）。また、水位が稼働下限水位Ｈ１まで減水していなければ、超音波蒸散機４，５の稼働を維持しつつ満水センサＳ２の検出結果をチェックする（ステップＳ）。満水センサＳ２がオーバーフロー近くの水位を検出すると、空気調和装置のコンプレッサの稼働を停止する（ステップＳ１０）。コンプレッサの稼働を停止してから１０分経過後に（ステップＳ１１）、コンプレッサの稼働を再開する（ステップＳ３）。コンプレッサの駆動が再開された後は、上記動作を繰り返す。
【００３０】
超音波蒸散機４，５による蒸散量よりドレン水の増加が小さい場合には、図６に示すように、超音波蒸散機４，５がオン・オフを繰り返し、ドレンタンク３内の水位がＡ点（稼働下限水位Ｈ１）とこれより低水位のＢ点との間の増減を繰り返す。
【００３１】
超音波蒸散機４，５による蒸散量よりドレン水の増加が大きく、且つ、超音波蒸散機４，５の蒸散能力が小さい場合には、図７に示すように、ドレンタンク３内の水位がＡ点（稼働下限水位Ｈ１）に達し、超音波蒸散機４，５の稼働が開始された後も、水位が増加し続ける。コンプレッサの稼働が停止されて初めて水位が減少する。しかし、超音波蒸散機４，５による蒸散能力が小さいことから、コンプレッサの稼働を停止してから３分経過後でも水位（Ｃ点）が稼働下限水位Ｈ１にまで減水しないため、コンプレッサの稼働によって再び水位が上昇を開始する。以降、このような動作を繰り返すことになる。
【００３２】
超音波蒸散機４，５による蒸散量よりドレン水の増加が大きく、且つ、超音波蒸散機４，５の蒸散能力が大きい場合には、図８に示すように、ドレンタンク３内の水位がＡ点（稼働下限水位Ｈ１）に達し、超音波蒸散機４，５の稼働が開始された後も、水位が増加し続ける。コンプレッサの稼働が停止されて初めて水位が減少する。そして、超音波蒸散機４，５による蒸散能力が大きいことから、コンプレッサの稼働を停止してから３分経過すると、稼働下限水位Ｈ１より低い水位（Ｄ点）にまで減水する。従って、コンプレッサの稼働が開始されると共に超音波蒸散機４，５の稼働が一旦停止される。水位が稼働下限水位Ｈ１にまで達すると、再び超音波蒸散機４，５の稼働が開始される。以降、このような動作を繰り返すことになる。
【００３３】
この第３の実施の形態によれば、ドレンタンク３の水位が高効率蒸散範囲になって初めて超音波蒸散機４，５を稼働するので、低消費電力でドレン水を効率良く蒸散できる。また、ドレンタンク３の水位がオーバーフロー近傍の水位に達すると空気調和機の稼働を停止するので、ドレンタンク３のドレン水がオーバーフローするのを防止できる。
【００３４】
（第４の実施の形態）
図９は本発明の第４の実施の形態に係るドレン水処理装置の概略構成図である。図９に示すように、この第４の実施の形態のドレン水処理装置１Ｄは、前記第１の実施の形態のものと比較するに、ドレンタンク３内が仕切り壁７によって第１タンク室３ａと第２タンク室３ｂの２つに仕切られている。第１タンク室３ａと第２タンク室３ｂに超音波蒸散機４，５がそれぞれ設置されている。
【００３５】
他の構成は、同一であるため、図面の同一構成箇所に同一符号を付して説明を省略する。
【００３６】
この第４の実施の形態によれば、単一のタンク室に較べて、ドレンホース２より排水される第１タンク室３ａの水位を早く高効率蒸散範囲内の水位とすることができるため、効率良くドレン水を蒸散することができる。また、第１タンク室３ａの水位が高効率蒸散範囲の水位より高くなると、ドレン水がオーバーフローによって第２タンク室３ｂに流れるため、第１タンク室３ａでは極力高効率蒸散範囲で超音波蒸散機４を稼働させることができる。従って、第１の実施の形態と較べて、全体としての蒸散効率の向上になる。
【００３７】
（第５の実施の形態）
図１０は本発明の第５の実施の形態に係るドレン水処理装置の概略構成図である。図１０に示すように、この第５の実施の形態のドレン水処理装置１Ｅは、前記第４の実施の形態のものと同様に、ドレンタンク３Ａ内が仕切り壁７で第１タンク室３ａと第２タンク室３ｂに仕切られているが、前記第４実施の形態のものと異なり、第１タンク室３ａの底面が高く、第２タンク室３ｂの底面が低く設定されている。
【００３８】
他の構成は、同一であるため、図面の同一構成箇所に同一符号を付して説明を省略する。
【００３９】
この第５の実施の形態によれば、前記第４の実施の形態と同様の効果を有する他に、ドレン水処理装置１Ｅの設置スペースが段差状のスペースしか確保できない場合にもドレン水処理装置１Ｅを設置できるという利点がある。
【００４０】
（第６の実施の形態）
図１１は本発明の第６の実施の形態に係るドレン水処理装置の概略構成図である。図１１に示すように、この第６の実施の形態のドレン水処理装置１Ｆは、前記第４の実施の形態のものと比較するに、ドレンホース２より排水される第１タンク室３ａに水位センサである蒸散開始用水位センサＳ１が設けられている。蒸散開始用水位センサＳ１は、第１タンク室３ａ内の水位が稼働下限水位Ｈ１に達したことを検出する。
【００４１】
他の構成は、同一であるため、図面の同一構成箇所に同一符号を付して説明を省略する。
【００４２】
この第６の実施の形態によれば、第１タンク室３ａの水位が高効率蒸散範囲になって初めて超音波蒸散機４を稼働することができるため、低消費電力でドレン水を効率良く蒸散できる。
【００４３】
なお、この第６の実施の形態では、蒸散開始用水位センサＳ１が稼働下限水位Ｈ１を検出するよう構成したが、高効率蒸散範囲の任意の水位、例えば最大効率水位Ｈｆを検出するよう構成しても良い。
【００４４】
（第７の実施の形態）
図１２は本発明の第７の実施の形態に係るドレン水処理装置の概略構成図である。図１２に示すように、この第７の実施の形態のドレン水処理装置１Ｇは、前記第６の実施の形態のものと比較するに、ドレンホース２より排水される第１タンク室３ａのみならず、第２タンク室３ｂにも水位センサである蒸散開始用水位センサＳ１が設けられている。
【００４５】
他の構成は、同一であるため、図面の同一構成箇所に同一符号を付して説明を省略する。
【００４６】
この第７の実施の形態によれば、第１タンク室３ａのみならず第２タンク室３ｂの水位も高効率蒸散範囲になって初めて超音波蒸散機５を稼働することができるため、低消費電力でドレン水を更に効率良く蒸散できる。
【００４７】
（第８の実施の形態）
図１３は本発明の第８の実施の形態に係るドレン水処理装置の概略構成図である。図１３に示すように、この第８の実施の形態のドレン水処理装置１Ｈは、前記第７の実施の形態のものと比較するに、ドレンタンク３Ａ内が各仕切り壁７によって第１、第２及び第３タンク室３ａ，３ｂ，３ｃの３つに分けられている。また、３つのタンク室３ａ，３ｂ，３ｃには、それぞれ超音波蒸散機４，５，８と、水位センサである蒸散開始用水位センサＳ１が設けられている。
【００４８】
他の構成は、同一であるため、図面の同一構成箇所に同一符号を付して説明を省略する。
【００４９】
この第８の実施の形態によれば、第７の実施の形態よりも更に早く第１ドレン室３ａの水位を高効率蒸散範囲にすることができる。なお、ドレンタンク内を４つ以上のタンク室に分割しても良い。
【００５０】
（第９の実施の形態）
図１４は本発明の第９の実施の形態に係るドレン水処理装置の概略構成図である。図１４に示すように、この第９の実施の形態のドレン水処理装置１Ｉは、図示しない空気調和装置で発生したドレン水を導くドレンホース２と、このドレンホース２よりドレン水が排水され、底面の高さが異なる第１タンク領域１０ａと第２タンク領域１０ｂの２つのタンク領域に分けられたドレンタンク１０と、第１及び第２タンク領域１０ａ，１０ｂにそれぞれ設置された蒸散機である超音波蒸散機４，５とを備えている。
【００５１】
この第９の実施の形態によれば、単一底面のタンク室に較べて、ドレンホース２より排水される第１タンク領域１０ａの水位を早く高効率蒸散範囲内の水位とすることができるため、効率良くドレン水を蒸散することができる。また、第１タンク領域１０ａの水位が高効率蒸散範囲の水位より高くなると、ドレン水がオーバーフローによって第２タンク領域１０ｂに流れるため、第１タンク領域１０ａでは極力高効率蒸散範囲で超音波蒸散機４を稼働させることができる。従って、第１の実施の形態と較べて、全体としての蒸散効率の向上になる。更に、ドレン水処理装置１Ｉの設置スペースが段差状のスペースしか確保できない場合にもドレン水処理装置１Ｉを設置できるという利点がある。
【００５２】
（第１０の実施の形態）
図１５は本発明の第１０の実施の形態に係るドレン水処理装置の概略構成図である。図１５に示すように、この第１０の実施の形態のドレン水処理装置１Ｊは、前記第９の実施の形態のものと較べて、第１タンク領域１０ａに水位センサである蒸散開始用水位センサＳ１が設けられている。
【００５３】
本実施の形態に係るドレン水処理装置における制御方法は、上記第２の実施の形態の場合と同様である。
【００５４】
この第１０の実施の形態によれば、第１タンク領域１０ａの水位が高効率蒸散範囲になって初めて超音波蒸散機４を稼働することができるため、低消費電力でドレン水を効率良く蒸散できる。
【００５５】
（第１１の実施の形態）
図１６は本発明の第１１の実施の形態に係るドレン水処理装置の概略構成図である。図１６に示すように、この第１１の実施の形態のドレン水処理装置１Ｋは、前記第１０の実施の形態のものと較べて、第１タンク領域１０ａに水位センサである蒸散開始用水位センサＳ１と蒸散停止用水位センサＳ３の２つが設けられていると共に、第２タンク領域１０ｂには蒸散開始用水位センサＳ１が設けられている。各蒸散開始用水位センサＳ１は、上述したように、第１または第２タンク領域１０ａ，１０ｂの水位が稼働下限水位Ｈ１に達したことを検出する。蒸散停止用水位センサＳ３は、第１タンク領域１０ａの水位が高効率蒸散範囲の稼働上限水位Ｈ２に達したことを検出する。蒸散開始用センサＳ３が稼働下限水位Ｈ１に達したことを検出すると、制御部は第１または第２タンク領域１０ａ，１０ｂ側の超音波蒸散機４，５の稼働をそれぞれ開始し、蒸散停止用水位センサＳ３が稼働上限水位Ｈ２に達したことを検出すると、制御部は第１タンク領域１０ａ側の超音波蒸散機４の稼働を停止する。
【００５６】
この第１１の実施の形態によれば、第１タンク領域１０ａの水位が高効率蒸散範囲でのみ超音波蒸散機４を稼働するため、低消費電力でドレン水を非常に効率良く蒸散できる。また、第２タンク領域１０ｂの水位が高効率蒸散範囲になって初めて超音波蒸散機５を稼働するため、低消費電力でドレン水を効率良く蒸散できる。以上より、第１０の実施の形態に較べて、低消費電力で、且つ、更に効率良く蒸散できる。
【００５７】
（第１２の実施の形態）
図１７は本発明の第１２の実施の形態に係るドレン水処理装置の概略構成図である。図１７に示すように、この第１２の実施の形態のドレン水処理装置は、前記第１１の実施の形態のものと較べて、ドレンタンク１０内が第１から第３タンク領域１０ａ，１０ｂ，１０ｃの３つに分けられている。そして、第１タンク領域１０ａ及び第２タンク領域１０ｂに水位センサである蒸散開始用水位センサＳ１と蒸散停止用水位センサＳ３の２つがそれぞれ設けられていると共に、第３タンク領域１０ｃには蒸散開始用水位センサＳ１のみが設けられている。
【００５８】
本実施の形態のドレン水処理装置における制御方法は、上記第１１の実施の形態と略同様である。
【００５９】
この第１２の実施の形態によれば、第１タンク領域１０ａ及び第２タンク領域１０ｂの水位が高効率蒸散範囲でのみ超音波蒸散機４，５をそれぞれ稼働するため、低消費電力でドレン水を非常に効率良く蒸散できる。また、第３タンク領域１０ｃの水位が高効率蒸散範囲になって初めて超音波蒸散機８を稼働するため、低消費電力でドレン水を効率良く蒸散できる。
【００６０】
なお、ドレンタンク１０内を４以上のタンク室に分割しても良い。
【００６１】
（第１３の実施の形態）
図１８は本発明の第１３の実施の形態に係るドレン水処理装置の概略構成図である。図１８に示すように、この第１３の実施の形態のドレン水処理装置１Ｍは、図示しない空気調和装置で発生したドレン水を導くドレンホース２と、このドレンホース２よりドレン水が排水され、排水されたドレン水を溜めるドレンタンク３と、ドレンタンク３内のドレン水に浮く単一のフロート式超音波蒸散機９とを備えている。フロート式超音波蒸散機９は、フロート部９ａによって最大蒸散能力を発揮できる水位に配置されている。
【００６２】
この第１３の実施の形態によれば、ドレンタンク３内の水位に係わらず、超音波蒸散機９を最大蒸散能力を発揮できる水位に位置させることができるため、ドレン水を効率良く蒸散できる。このように常に効率の良い蒸散ができるため、小型の低コストで、且つ、低消費電力の超音波蒸散機９を設置すれば足りる。以上より、低コストで、且つ、低消費電力で効率良く蒸散ができる。なお、フロート式超音波蒸散機９をドレンタンク３内に複数台配置しても良い。
【００６３】
前記第１〜第１３の実施の形態では、蒸散機は超音波蒸散機４，５，８，９にて構成されているが、蒸散機はドレン水を蒸散できるものであれば、超音波式以外の装置であっても良いことはもちろんである。
【００６４】
なお、前記実施形態では、水位センサは、蒸散開始位置の水位とオーバーフロー近くの水位と蒸散停止位置の水位をそれぞれ別個のセンサで検出するよう構成されているが、単一の水位センサによって各水位を検出するよう構成しても良いことはもちろんである。
【図面の簡単な説明】
【００６５】
【図１】本発明の第１の実施の形態に係るドレン水処理装置の概略構成図。
【図２】（ａ）は本発明の第１の実施の形態に係るドレン水処理装置の詳細な側面図、（ｂ）はその部分正面図、（ｃ）はその部分底面図。
【図３】本発明の第２の実施の形態に係るドレン水処理装置の概略構成図。
【図４】本発明の第３の実施の形態に係るドレン水処理装置の概略構成図。
【図５】本発明の第３の実施の形態に係るドレン処理装置の制御フローチャート。
【図６】超音波蒸散機による蒸散量よりドレン水の増加が小さい場合におけるタイムチャート。
【図７】超音波蒸散機による蒸散量よりドレン水の増加が大きく、且つ、超音波蒸散機の蒸散能力が小さい場合におけるタイムチャート。
【図８】超音波蒸散機による蒸散量よりドレン水の増加が大きく、且つ、超音波蒸散機の蒸散能力が大きい場合におけるタイムチャート。
【図９】本発明の第４の実施の形態に係るドレン水処理装置の概略構成図。
【図１０】本発明の第５の実施の形態に係るドレン水処理装置の概略構成図。
【図１１】本発明の第６の実施の形態に係るドレン水処理装置の概略構成図。
【図１２】本発明の第７の実施の形態に係るドレン水処理装置の概略構成図。
【図１３】本発明の第８の実施の形態に係るドレン水処理装置の概略構成図。
【図１４】本発明の第９の実施の形態に係るドレン水処理装置の概略構成図。
【図１５】本発明の第１０の実施の形態に係るドレン水処理装置の概略構成図。
【図１６】本発明の第１１の実施の形態に係るドレン水処理装置の概略構成図。
【図１７】本発明の第１２の実施の形態に係るドレン水処理装置の概略構成図。
【図１８】本発明の第１３の実施の形態に係るドレン水処理装置の概略構成図。
【符号の説明】
【００６６】
１Ａ〜１Ｍ  ドレン水処理装置
３，３Ａ，１０  ドレンタンク
３ａ  第１タンク室
３ｂ  第２タンク室
３ｃ  第３タンク室
４，５，８  超音波蒸散機（蒸散機）
７  仕切り壁
９  フロート式超音波蒸散機（フロート式蒸散機）
１０ａ  第１タンク領域
１０ｂ  第２タンク領域
１０ｃ  第３タンク領域
Ｓ１  蒸散開始用水位センサ（水位センサ）
Ｓ２  満水センサ（水位センサ）
Ｓ３  蒸散停止用水位センサ（水位センサ）
【図１】
2008298372.tif 000003
【図２】
2008298372.tif 000004
【図３】
2008298372.tif 000005
【図４】
2008298372.tif 000006
【図５】
2008298372.tif 000007
【図６】
2008298372.tif 000008
【図７】
2008298372.tif 000009
【図８】
2008298372.tif 000010
【図９】
2008298372.tif 000011
【図１０】
2008298372.tif 000012
【図１１】
2008298372.tif 000013
【図１２】
2008298372.tif 000014
【図１３】
2008298372.tif 000015
【図１４】
2008298372.tif 000016
【図１５】
2008298372.tif 000017
【図１６】
2008298372.tif 000018
【図１７】
2008298372.tif 000019
【図１８】
2008298372.tif 000020